(57)【要約】      （修正有）【課題】小型で、携帯性に優れ、ルーペの出し入れが容易な収納式で、さらに輪部径の調節操作なしに、どの指のサイズにも合う小型収納式携帯ルーペを提供する。【解決手段】指６に嵌めて使用されるものであって、使用される指の径に伸縮により適合する輪部２ａ及び輪部の一部に延設されスペース２ｅを有するベロ部を備える本体２と、スペースに上面及び下面が覆われ収納可能に設けられたルーペ３と、からなり、ルーペを使用しないときはスペースにルーペを収納し、ルーペを使用するときはスペースからルーペを取り出すことを可能にした。【選択図】図３
2016071064.tif 000002
【特許請求の範囲】
【請求項１】
指に嵌めて使用されるものであって、
使用される前記指の径に伸縮により適合する輪部及び前記輪部の一部に延設されスペースを有するベロ部を備える本体と、
前記スペースに上面及び下面が覆われ収納可能に設けられたルーペと、
からなり、
前記ルーペを使用しないときは前記スペースに前記ルーペを収納し、前記ルーペを使用するときは前記スペースから前記ルーペを取り出すことを特徴とする小型収納式携帯ルーペ。
【請求項２】
前記輪部が、前記ベロ部より左右に突出した左右羽根部と、前記左右羽根部の端部を連結する伸縮具とからなることを特徴とする請求項１に記載の小型収納式携帯ルーペ。
【請求項３】
前記ベロ部が、前記輪部の一部に延設された上ベロ部と、前記上ベロ部にスペースを設けて下に位置し前記輪部又は前記上ベロ部に一端が接続された下ベロ部からなり、
或いは指貫を二つ重ねて前記上下ベロ部とし、
前記ルーペが、前記上下ベロ部の端部に回動可能に接続され、前記スペースから回動させ取り出すことを特徴とする請求項１又は請求項２に記載の小型収納式携帯ルーペ。
【請求項４】
前記本体は、指貫としても使用されることを特徴とする請求項１〜請求項３の何れか１項に記載の小型収納式携帯ルーペ。
【発明の詳細な説明】
【技術分野】
【０００１】
本発明は、指に装着して（嵌めて）使用される小型収納式携帯ルーペに関するものである。
【背景技術】
【０００２】
中・高齢者の大部分の人たちは老眼鏡又は拡大鏡（以下「ルーペ」という）を使用する必要に迫られることが多い。リモコンや携帯電話及びタブレット端末機の操作や、裁縫での針に糸を通すような細かな作業を行う場合、仕事や買い物など外出先で小さな文字等を視力によって識別する場合等には、コンパクトで小型の携帯ルーペがあると便利である。
【０００３】
ルーペ使用時も、両手、全ての指を使用でき、指先を拡大できるそのような小型、携帯ルーペとして、例えば、特許文献１−８などが公開されている。
【０００４】
特許文献１の発明は、焦点距離がつかみ難く、試行錯誤しながら使用する手持ちのルーペの使い勝手を向上させるものであって、使用者の手４の特定の指に嵌められる指輪部１１をレンズ１０と一体にし、第五指４３を観察面５に接触させて手をたてた状態でレンズを観察面に正対可能な形状にし、かつ、その状態での作動距離と概略等しい焦点距離のレンズとしたルーペである。
【０００５】
特許文献２の考案は、容易に外れず、紛失しにくく、邪魔にならず、脱着容易とするため、装着したまま作業の邪魔にならないように長円形のレンズを用い指輪部を太く直系を大きく、指に対して４０度程度の角度に固定し、指輪部は２０ｍｍ×２５ｍｍ、レンズ部は２０ｍｍ×３０ｍｍとする。これにより山岳、渓流では眼鏡に頼らず釣りや写真が楽しめ、歩行時には裸眼又は使い慣れた眼鏡（近視、乱視）で安全に活動できるという、屋外型指つけルーペである。
【０００６】
特許文献１、２は、レンズ部と指輪部が付いたものとしてレンズが側面に飛び出しており、レンズがオシャレ指輪の様に常に露出しているのでレンズに傷が付きやすく、指輪のサイズは固定されている。
【０００７】
特許文献３の考案は、細かい手作業従事者や高齢者、又は細かい物や字の見えにくい人たちのために、考案された拡大レンズ付き指輪であって、指にはめることにより、臆することなく手作業が、容易且つ迅速にできることを目的とし、適当な大きさの拡大レンズを指輪型上部の中心部に取りつけ、角度微調整可能とし、指輪の大小調節可能部分を設けたことを特徴としている拡大レンズ付き指輪である。そして、指輪部の端に、垂直で指先方向に角度調整して倒すことができるレンズがついている指ルーペで、これも指輪のサイズが固定されレンズが露出しているのでレンズ表面が傷付きやすく安全性、劣化に問題がある。
【０００８】
特許文献４の発明は、老眼鏡では見えない針穴等を指先で拡大させ焦点を固定し作業性を良くして針に糸を通す事が出来るようにするとともに、文章を写し書く時指先で文面を支持していればすぐ次の文面を確認する事が容易に出来るようにするものであって、眼鏡Ａを可動する指示棒Ｃと指輪Ｂにて指に固定させ対象物に焦点を合わせ拡大して見え易くするゆびメガネである。そして、指輪部から自在に動くアームが伸びてレンズ部が付き、形態は指輪部から飛び出した構造になっているので使用する時だけ装着して使う。指輪部は輪がＵ字型の様に手の平側が切れている形でサイズが固定している。常時に装着するには向いていない。
【０００９】
特許文献５の考案は、焦点が指先や目的物に固定されて手指の動きに追随し、細かい手先の作業を容易なものとするものであって、柔軟性と弾性とを兼ね備えた材料を用いた短筒状の指輪体１の外周に設けた基盤１２から頂端に球体７を形成した軸棒１０を突設するとともに、ルーペ２の外周に前記球体７を収納した窪み８を有する殻部６が突設され、前記殻部６と前記球体７とで構成された球関節接手３を介して前記指輪体１に前記ルーペ２が揺動自在に結合している指輪付きルーペである。そして、指輪部が柔軟性と弾性とを兼ね備えた材料を用いた短筒状の形態になっているが、長時間の使用は血流が悪くなり、圧迫される場合もある。又、この指輪部から軸棒が伸びて付いており、伸びた棒の端が球体となり、そこを球間接にしてレンズ部が付いた構造で、使用時以外は軸棒とレンズが邪魔になり、常時の装着には向いていない。
【００１０】
特許文献６の考案は、読書の時、読みにくい小文字を読むために、その都度拡大レンズの虫めがね又はフルネーズレンズ等を持たなくてよいようにするものであって、拡大レンズ１とゆびはめ２を留めピン３で一体にし、拡大レンズ１は留めピン３を軸として動くようにしたゆびはめ付き拡大レンズである。そして、指輪部の一端に軸ピンがついており、そこを軸として虫めがね型のレンズ部の取手が付いており、レンズ部を左右に動かして使用する構造になっているが、指輪のサイズが限定されている。未使用時は虫めがね型のレンズが邪魔になる上、レンズに傷が付きやすく、レンズが保護されていない。
【００１１】
特許文献７の考案は、指輪に設けられた装飾物を拡大してみることができるとともに、可動フレームを開くことにより、拡大ルーペとしての機能も備えた装飾指輪であって、指輪本体２と、該指輪本体２上に設けられ上部が開口部となった台座ケース３と、該台座ケース内に設けられた宝石、写真、キャラクタフィギュア等の装飾物と、前記開口部を開閉手段を介して覆う可動フレーム４と、該可動フレーム４に設けられたレンズ５と、前記可動フレーム４を閉じた状態で係止する係止機構とにより構成される。そして、指輪部に装飾台座ケースが設けられ、開閉式のケースの蓋がレンズになっており、蓋を開けて使用する構造になっている。この場合もレンズはケースの蓋になっているため、ケースに収納はできているが、レンズは露出している。
【００１２】
特許文献８の発明は、拡大用のレンズを指に嵌めることによって、両手を使いながら、指先で行う細かな作業をレンズで拡大して見やすくし、また拡大範囲も広範囲にするためのものであって、対象物を拡大視できるレンズ１１０と、このレンズ１１０を任意の角度に保持するベース部１２０と、指１に装着するための保持部１４０とから構成され、レンズ１１０を任意の角度と方向に設定し、保持することを可能とすることで、レンズ１１０を広範囲に向けることができ、読書や精密作業だけでなく幅広い用途に活用される指レンズである。そして、レンズ部とベース部と、指に巻いて太さ調節が可能な帯状部の三部が合体した構造になっているので、使用時は各指の太さの調節ができるが、使用する指を変える度に再調節を強いられる。未使用時はベース部やレンズ部が邪魔になる上、レンズに傷が付きやすく、レンズが保護されていない。
【００１３】
しかしながら、特許文献１−７は、いずれも、普通の指輪と同様に指のサイズが限定される上、中・高齢者の人たちの中には指の疾患により関節が変形している人や、日によっては指のサイズが変動する方も多いので装着できないときもある。特許文献１−８は、何れもルーペ本体が露出しており保護できないので傷つきやすく安全性に問題がある。特許文献８においては、輪部の径が、調節可能であるが、構造、操作が極めて複雑で、都度の輪部径の調節が必要である。
【先行技術文献】
【特許文献】
【００１４】
【特許文献１】特開２０１３−１０９３４３号公報
【特許文献２】実用新案登録第３１０１９９１号公報
【特許文献３】実開平０７−１６６１２号公報
【特許文献４】特開２００５−０３１６０７号公報
【特許文献５】実用新案登録第３０１０１２１号公報
【特許文献６】実用新案登録第３０５７５７０号公報
【特許文献７】実用新案登録第３１５４１１９号公報
【特許文献８】特開２００１−９１８６３号公報
【発明の概要】
【発明が解決しようとする課題】
【００１５】
そこで、本発明は、小型で、携帯性に優れ、ルーペの出し入れが容易な収納式で、さらに輪部径の調節操作なしに、どの指のサイズにも合う小型収納式携帯ルーペを提供することを目的とするものである。
【課題を解決するための手段】
【００１６】
本発明は、上記課題を解決するために、
（１）
指に嵌めて使用されるものであって、
使用される前記指の径に伸縮により適合する輪部及び前記輪部の一部に延設されスペースを有するベロ部を備える本体と、
前記スペースに上面及び下面が覆われ収納可能に設けられたルーペと、
からなり、
前記ルーペを使用しないときは前記スペースに前記ルーペを収納し、前記ルーペを使用するときは前記スペースから前記ルーペを取り出すことを特徴とする小型収納式携帯ルーペ。
（２）
前記輪部が、前記ベロ部より左右に突出した左右羽根部と、前記左右羽根部の端部を連結する伸縮具とからなることを特徴とする（１）に記載の小型収納式携帯ルーペ。
（３）
前記ベロ部が、前記輪部の一部に延設された上ベロ部と、前記上ベロ部にスペースを設けて下に位置し前記輪部又は前記上ベロ部に一端が接続された下ベロ部からなり、
或いは指貫を二つ重ねて前記上下ベロ部とし、
前記ルーペが、前記上下ベロ部の端部に回動可能に接続され、前記スペースから回動させ取り出すことを特徴とする（１）又は（２）に記載の小型収納式携帯ルーペ。
（４）
前記本体は、指貫としても使用されることを特徴とする（１）〜（３）の何れかに記載の小型収納式携帯ルーペ。
とした。
【発明の効果】
【００１７】
本発明は、以上の構成であるので、邪魔にならず、時間や場所を気にせず、いつでも指に嵌めていることができ、指に嵌めていれば紛失しにくいため携帯性に優れている。ルーペ不使用時は、収納されているため、ルーペに傷が付きにくく、安全性が高く、劣化しにくい。輪部は、伸縮性で径が使用される指にて調節操作なしに適合するので、全ての指に使用でき、さらに指の日々の太さ変化或いは疾患による指の変形にも対応でき、指の太さの異なる複数人による使用も可能で、汎用性がある。
【００１８】
携帯も容易であるので、細かな文字の判読、記載、細かな作業が、いつでも、どこでも容易になる。また、指に嵌めて使用するため、両手が使用でき作業性がよい加えて、指貫としても使用できる。回動式であれば、任意の位置に、ルーペを位置させることができる。指貫をモチーフにすれば、厚みなくフラットな形態になり、装着時に邪魔にならない。また、伸縮具を備えることで、調整作用なしに、指太さに適合するので、長時間の使用でも痛くならない。
【図面の簡単な説明】
【００１９】
【図１】本発明である小型収納式携帯ルーペのルーペ収納時（Ａ）とルーペ取り出し時（Ｂ）の説明斜視図である。
【図２】本発明である小型収納式携帯ルーペの図１（Ｂ）における矢視Ａ−Ａ‘断面図である。
【図３】本発明である小型収納式携帯ルーペの携帯電子機器操作時の斜視図である。
【図４】本発明である小型収納式携帯ルーペの筆記具使用時の斜視図である。
【発明を実施するための形態】
【００２０】
以下、添付図面に基づき本発明について詳細に説明する。なお、本発明は下記実施例に限定されるものではない。
【実施例１】
【００２１】
図１−３に示すように、本発明である小型収納式携帯ルーペ１は、本体２と、ルーペ３と、留め具４からなる。本体２は、輪部２ａと、ベロ部２ｐとからなる。本体２とルーペ３は、留め具４を支点に回動可能になっている。
【００２２】
輪部２ａは、ベロ部２ｐより左右に突出した左右羽根部２ｋ、２ｍと、左右羽根部２ｋ、２ｍの端部を連結する伸縮具２ｂ、例えばゴム輪などの弾性体からなる。図１、２で明らかなように、伸縮具２ｂは、左右羽根部２ｋ、２ｍの端部の穴２ｇ、２ｆに通されて輪状になって、左右羽根部２ｋ、２ｍを環状になっている。
【００２３】
伸縮具２ｂを介して、環状になる輪部２ａは、輪部２ａの径の調節操作なしに、径が使用される指のサイズに適合する。したがって、長時間の使用でも伸縮具２ｂが痛くならず、指からも脱落しない。
【００２４】
ベロ部２ｐは、図２に明示するように、輪部２ａの一部に延設された上ベロ部２ｃと、上ベロ部２ｃにスペース２ｅを設けて下に位置し輪部２ａ又は上ベロ部２ｃに一端が接続された下ベロ部２ｄからなる。ベロ部２ｐは、指貫を二つ重ねて上下ベロ部としてもよい。
【００２５】
ルーペ３は、上下ベロ部２ｃ、２ｄの端部に回動可能に、例えば、図２に示すように、上下ベロ部２ｃ、２ｄの穴２ｈ、２ｉ及びルーペの孔３ａを貫通する留め具４などで接続され、スペース２ｅに上面３ｂ及び下面３ｃが覆われ収納され、使用するといきはスペース２ｅから回動させ取り出す。収納時には、上下ベロ部２ｃ、２ｄがルーペの保護ケースになり、レンズに傷が付きにくく、破損しづらい。
【００２６】
このようにしてなる小型収納式携帯ルーペ１は、図３に示すように、指６に輪部２ａを嵌めて使用されるものであって、ルーペ３を使用しないときはスペース２ｅにルーペ３を留め具４を支点に回動させて収納し、ルーペ３を使用するときはスペース２ｅからルーペ３を回動させて取り出し、任意の位置にルーペ３を配置して使用される。本体２は、裁縫の指貫としても使用することができる。
【００２７】
ベロ部２ｐの上面は凹凸がある押圧部２ｑが形成されており、押圧部３ｑで、従来の指貫と同様に、針の後端を生地等に押し込むことができる。裁縫時であれば、ルーペ３で、針穴を拡大し、針穴への糸通しを容易にすることができる。
【００２８】
図３は、携帯電話、スマートフォン、携帯端末、リモコン等の携帯電子機器７の操作パネル７ａ、ボタンを、操作パネル７ａを操作する指６に小型収納式携帯ルーペ１を装着し、ルーペ３で操作部を拡大して、指６で操作パネル７ａを操作している場面を表している。
【００２９】
図３では、本発明である小型収納式携帯ルーペ１は、輪部２ａを携帯電子機器７を持った手５の指６の付け根側に位置させ、指６の付け根から第２関節の間に位置させる。小型収納式携帯ルーペ１を指６に嵌めた後、ルーペ３を回動させて取り出し、操作部分と目の間（目線８）に、ルーペ３を回動させながら操作したい部分が拡大されるように位置させる、或いは、目の位置を移動させる。その結果、操作パネル７ａや小さな文字を、ルーペ３を通して、拡大して見ることができため、操作パネル７ａの操作をスムーズに行うことができるようになる。
【実施例２】
【００３０】
他の実施態様について、図４を参照して説明する。図４は、筆記具を持つ手５の親指６ａに小型収納式携帯ルーペ１を装着し、ルーペ３で記載部を拡大しながら、筆記具９によって、文字を書く場面を表している。
【００３１】
図４では、本発明である小型収納式携帯ルーペ１は、輪部２ａを親指６ａの付け根側に位置させ、嵌められる。小型収納式携帯ルーペ１を指６に嵌めた後、ルーペ３を回動させて取り出し、記載部と目の間（目線８）に、ルーペ３を回動させながら筆記具９の先端が拡大されるように位置させる、或いは、目の位置を移動させる。その結果、記載する文字を、ルーペ３を通して、拡大して見ることができため、文字を小さく、きれいに書くことができるようになる。
【符号の説明】
【００３２】
１    小型収納式携帯ルーペ
２    本体
２ａ  輪部
２ｂ  伸縮具
２ｃ  上ベロ部
２ｄ  下ベロ部
２ｅ  スペース
２ｆ  穴
２ｇ  穴
２ｈ  穴
２ｉ  穴
２ｋ  左羽根部
２ｍ  右羽根部
２ｐ  ベロ部
２ｑ  押圧部
３    ルーペ
３ａ  孔
３ｂ  上面
３ｃ  下面
４    留め具
５    手
６    指
６ａ  親指
７    携帯電子機器
７ａ  操作パネル
８    目線
９    筆記具
１０  文字
【図１】
2016071064.tif 000003
【図２】
2016071064.tif 000004
【図３】
2016071064.tif 000005
【図４】
2016071064.tif 000006